(57)【要約】【課題】特に力を必要とせずに容易に保持することができ、さらに、対象物（加熱された鍋の把手など）を掴むのに十分な摩擦力を発することができる掴み用パッドを提供する。【解決手段】掴み用パッド１０は耐熱性材料からなり、縦断面が円弧形状をなす領域１５を有するパッド本体１１と、パッド本体１１の凹となる表面１１ａ側に形成された複数のリブ部材１２と、パッド本体１１の凸となる表面１１ｂ側から外方に向かって突出して形成された平板状の把手１３と、からなる。【選択図】図１
0003125091.tif 000002
【実用新案登録請求の範囲】
【請求項１】
耐熱性材料からなる掴み用パッドであって、
縦断面が円弧形状をなす領域を有するパッド本体と、
前記パッド本体の凹となる表面側に形成された複数のリブ部材と、
前記パッド本体の凸となる表面側から外方に向かって突出して形成された平板状の把手と、からなる掴み用パッド。
【請求項２】
前記把手の下面には前記把手の下面から下方に突出する指用リブが形成されていることを特徴とする請求項１に記載の掴み用パッド。
【請求項３】
前記パッド本体は、縦断面が円弧形状をなす前記領域の上方に、前記領域と連続して、外縁の縦断面が直線形状である上方領域を有しており、前記上方領域において、前記外縁には磁石が取り付けられていることを特徴とする請求項１または２に記載の掴み用パッド。
【考案の詳細な説明】
【技術分野】
【０００１】
本考案は、加熱された鍋の把手や電子レンジで加熱された容器入り食品の容器の縁を掴むための掴み用パッドに関する。
【背景技術】
【０００２】
上記のような掴み用パッドの一例として、特開平１１−８９７３３号公報に記載されたものがある。
【０００３】
図４は同公報に記載された掴み用パッド１００の縦断面図である。
【０００４】
図４に示すように、掴み用パッド１００は、円形の平板状の掴み部１０１と、掴み部１０１の表面１０１ａの中央に形成された突出部材１０２と、掴み部１０１の裏面１０１ｂの中央に形成された磁石または吸盤からなる付着部１０３と、から構成されている。
【０００５】
掴み部１０１は、例えば、天然または合成ゴムからなり、可撓性を有している。
【０００６】
図５及び図６は掴み用パッド１００の使用方法を示す平面図及び斜視図である。
【０００７】
図５に示すように、手のひらを掴み用パッド１００の表面１０１ａに当てる。この際、人指し指１１１と中指１１２との間に突出部材１０２を挟み込むようにする。
【０００８】
次いで、図６に示すように、掴み部１０１の裏面１０１ｂで対象物１１０（加熱された鍋の把手など）を巻くようにして掴む。
【考案の開示】
【考案が解決しようとする課題】
【０００９】
従来の掴み用パッド１００は、上述のように、人指し指１１１と中指１１２との間に突出部材１０２を挟み込むことにより、保持される。
【００１０】
一般に、指と指との間には力を入れにくいため、指と指との間に対象物を挟み込んで保持することは困難であることが多い。このため、従来の掴み用パッド１００は、人指し指１１１と中指１１２との間から突出部材１２０が抜け出てしまい、その結果、掴み用パッド１００を落としてしまうことがあった。
【００１１】
さらに、掴み部１０１の裏面１０１ｂは平坦であるため、摩擦係数が小さい。このため、掴み部１０１の裏面１０１ｂで対象物を掴もうとする際に、掴み部１０１の裏面１０１ｂが滑ってしまい、対象物をうまく掴むことが困難であることがあった。
【００１２】
本考案は以上のような問題点に鑑みてなされたものであり、特に力を必要とせずに容易に保持することができ、さらに、対象物を掴むのに十分な摩擦力を発することができる掴み用パッドを提供することを目的とする。
【課題を解決するための手段】
【００１３】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１４】
上記の目的を達成するため、本考案は、耐熱性材料からなる掴み用パッド（１０、２０、３０）であって、縦断面が円弧形状をなす領域（１５）を有するパッド本体（１１）と、前記パッド本体（１１）の凹となる表面（１１ａ）側に形成された複数のリブ部材（１２）と、前記パッド本体（１１）の凸となる表面（１１ｂ）側から外方に向かって突出して形成された平板状の把手（１３）と、からなる掴み用パッド（１０、２０、３０）を提供する。
【００１５】
前記把手（１３）の下面（１３ａ）には前記把手（１３）の下面（１３ａ）から下方に突出する指用リブ（２１）が形成されていることが好ましい。
【００１６】
前記パッド本体（１１）は、縦断面が円弧形状をなす前記領域（１５）の上方に、前記領域（１５）と連続して、外縁の縦断面が直線形状である上方領域（１４）を有しており、前記上方領域（１４）において、前記外縁には磁石（３１）が取り付けられていることが好ましい。
【考案の効果】
【００１７】
第一に、本考案に係る掴み用パッドは従来の掴み用パッド１００よりも保持しやすい。
【００１８】
従来の掴み用パッド１００は、図５及び図６に示したように、人指し指１１１と中指１１２との間に突出部材１０２を挟み込むことにより、保持されていた。従って、従来の掴み用パッド１００を確実に保持するためには、人指し指１１１と中指１１２とに力を入れることが必要であったが、一般に、指と指との間には力は入れにくい。このため、従来の掴み用パッド１００は使用中に落としてしまうことがあった。
【００１９】
これに対して、本考案に係る掴み用パッドにおいては、使用者の中指で把手を軽く押し上げるだけで掴み用パッドを保持することが可能である。このため、従来の掴み用パッド１００よりも少ない力でより確実に掴み用パッドを保持することが可能である。
【００２０】
第二に、本考案に係る掴み用パッドは従来の掴み用パッド１００よりも対象物を掴みやすい。
【００２１】
本考案に係る掴み用パッドのパッド本体は、縦断面が円弧形状をなす領域を有している。このため、掴み部１０１の表面が平坦であった従来の掴み用パッド１００と比較して、対象物（加熱された鍋の把手など）を掴みやすい。
【００２２】
第三に、本考案に係る掴み用パッドは従来の掴み用パッド１００よりも大きな摩擦力を得ることができる。
【００２３】
本考案に係る掴み用パッドのパッド本体の表面には複数のリブ部材が形成されている。パッド本体の表面で対象物を掴む際には、これらのリブ部材が滑り止めとして機能し、パッド本体の表面と対象物との間に作用する摩擦力を高める作用を発揮する。このため、本考案に係る掴み用パッドは従来の掴み用パッド１００よりも大きな摩擦力を得ることができ、対象物を確実に掴むことが可能になる。
【００２４】
さらに、これらのリブ部材が存在することにより、パッド本体の表面の表面積が大きくなっているため、パッド本体の表面の熱拡散効率を高めることができる。
【００２５】
また、把手の下面に指用リブを形成することにより、使用者の指、特に、中指で指用リブを係止することができるため、確実に掴み用パッドを保持することができる。
【００２６】
さらに、磁石を設けることにより、対象物が鉄その他の磁性金属である場合には、ゴム磁石を介して、パッド本体を対象物に付着させることができるため、掴み用パッドと対象物との間の保持力を高めることができる。
【考案を実施するための最良の形態】
【００２７】
（第一の実施形態）
図１（ａ）は本考案の第一の実施形態に係る掴み用パッド１０の平面図、図１（ｃ）は本考案の第一の実施形態に係る掴み用パッド１０の正面図、図１（ｂ）は図１（ｃ）のＡ−Ａ線における断面図である。
【００２８】
本考案の第一の実施形態に係る掴み用パッド１０は、パッド本体１１と、６個のリブ部材１２と、把手１３と、から構成されている。
【００２９】
パッド本体１１とリブ部材１２と把手１３とは一体的に形成されている。
【００３０】
また、本実施形態に係る掴み用パッド１０は耐熱性材料からつくられている。例えば、本実施形態に係る掴み用パッド１０は摂氏約２００度の耐熱温度を有するシリコン樹脂でつくられる。
【００３１】
パッド本体１１は、図１（ｂ）に示すように、外縁（または外側表面）１４ａの縦断面が直線形状である上方領域１４と、縦断面が円弧形状をなす下方領域１５とを有している。
【００３２】
上方領域１４と下方領域１５とは相互に連続しており、一体的に形成されている。
【００３３】
図１（ｃ）に示すように、掴み用パッド１０の正面から見ると、上方領域１４はほぼ円弧形状をなしており、下方領域１５はほぼ矩形形状をなしている。
【００３４】
さらに、図１（ｂ）に示すように、上方領域１４の外縁１４ａは各リブ部材１２の先端よりも外側に位置している。換言すれば、各リブ部材１２の先端は上方領域１４の外縁１４ａを越えて突出してはいない。
【００３５】
６個のリブ部材１２は、パッド本体１１の凹となる表面１１ａ側から突出して形成されている。６個のリブ部材１２は掴み用パッド１０の幅方向Ｗに延びるライン状の突出部材として形成されている。各リブ部材１２は相互に平行であり、かつ、相互に等間隔に形成されている。
【００３６】
さらに、パッド本体１１の裏面１１ｂ側には、６個のリブ部材１２の各々に対応して、凹部１２ａが形成されている。
【００３７】
把手１３はパッド本体１１の凸となる裏面１１ｂ側から外方に向かって突出して形成されている。
【００３８】
図１（ａ）及び図１（ｂ）に示すように、把手１３はほぼ半楕円形の平板形状をなしており、パッド本体１１の上方領域１４と下方領域１５との境界の付近から突出している。
【００３９】
把手１３は、リブ部材１２と同様に、パッド本体１１の幅方向Ｗに延びる長さを有しており、リブ部材１２と平行である。さらに、把手１３はパッド本体１１の幅方向Ｗにおいてパッド本体１１の全幅Ｗ１の約５０％の長さを有している。
【００４０】
以上のような構造を有する本実施形態に係る掴み用パッド１０は以下のようにして使用される。
【００４１】
本実施形態に係る掴み用パッド１０を使用する際には、図１（ｂ）に示すように、人指し指５１と中指５２との間に把手１３が入り込むようにして、人指し指５１、中指５２、薬指５３及び小指５４をパッド本体１１の裏面１１ｂに添える。
【００４２】
次いで、パッド本体１１の表面１１ａ側で対象物（加熱された鍋の把手など）を巻き込むようにして、パッド本体１１を屈曲させ、対象物を掴む。
【００４３】
本実施形態に係る掴み用パッド１０によれば、従来の掴み用パッド１００と比較して、以下のような効果を得ることができる。
【００４４】
第一に、本実施形態に係る掴み用パッド１０は従来の掴み用パッド１００よりも保持しやすい。
【００４５】
従来の掴み用パッド１００は、図５及び図６に示したように、人指し指１１１と中指１１２との間に突出部材１０２を挟み込むことにより、保持されていた。従って、従来の掴み用パッド１００を確実に保持するためには、人指し指１１１と中指１１２とに力を入れることが必要であったが、一般に、指と指との間には力は入れにくい。このため、従来の掴み用パッド１００の使用中に掴み用パッド１００を落としてしまうことがあった。
【００４６】
これに対して、本実施形態に係る掴み用パッド１０においては、図１（ｂ）に示したように、中指５２で把手１３を軽く押し上げるだけで掴み用パッド１０を保持することが可能である。このため、従来の掴み用パッド１００と比較して、より少ない力でより確実に掴み用パッド１０を保持することが可能である。
【００４７】
第二に、本実施形態に係る掴み用パッド１０は従来の掴み用パッド１００よりも対象物を掴みやすい。
【００４８】
本実施形態に係る掴み用パッド１０のパッド本体１１は、縦断面が円弧形状をなす下方領域１５を有している。
【００４９】
このため、掴み部１０１の表面が平坦であった従来の掴み用パッド１００と比較して、対象物（加熱された鍋の把手など）を掴みやすい。
【００５０】
第三に、本実施形態に係る掴み用パッド１０は従来の掴み用パッド１００よりも大きな摩擦力を得ることができる。
【００５１】
本実施形態に係る掴み用パッド１０のパッド本体１１の表面１１ａには６個のリブ部材１２が形成されている。パッド本体１１の表面１１ａで対象物を掴む際には、これらのリブ部材１２が滑り止めとして機能し、パッド本体１１の表面１１ａと対象物との間に作用する摩擦力を高める作用を発揮する。このため、本実施形態に係る掴み用パッド１０は従来の掴み用パッド１００よりも大きな摩擦力を得ることができ、対象物を確実に掴むことが可能になる。
【００５２】
さらに、これらのリブ部材１２が存在することにより、パッド本体１１の表面１１ａの表面積が大きくなっているため、パッド本体１１の表面１１ａの熱拡散効率が高められている。
【００５３】
第四に、使用者の安全対策が従来の掴み用パッド１００と比較して向上されている。
【００５４】
従来の掴み用パッド１００における掴み部１０１は円形であったたため、使用者の指（特に、小指）が掴み部１０１の外側に出てしまい、加熱された対象物（鍋の把手など）に触れてしまうおそれがあった。
【００５５】
これに対して、本実施形態に係る掴み用パッド１０のパッド本体１１の下方領域１５はほぼ矩形形状に形成されており、円形の掴み部１０１よりも大きな面積になっている。このため、本実施形態に係る掴み用パッド１０を持ったときに、使用者の指（特に、小指）がパッド本体１１から外側に出てしまうことがなく、掴み用パッド１０の使用中における使用者の安全対策が従来の掴み用パッド１００よりも向上している。
【００５６】
なお、本実施形態に係る掴み用パッド１０は上記の構造に限定されるものではなく、以下のように、種々の改変が可能である。
【００５７】
本実施形態に係る掴み用パッド１０には６個のリブ部材１２が形成されているが、リブ部材１２の個数は６に限定されるものではなく、リブ部材１２の個数は任意に選択することができる。また、リブ部材１２の形状もライン状に限定されるものではなく、種々の形状を選択することができる。例えば、リブ部材１２をメッシュ状に形成することも可能である。
【００５８】
また、把手１３の形状も半楕円形状に限定されるものではなく、把手１３が平板状であり、使用者の指（特に、中指５２）で係止することができるものである限り、任意の形状を選択することができる。
【００５９】
また、本実施形態に係る掴み用パッド１０においては、把手１３はパッド本体１１の幅方向Ｗにおいてパッド本体１１の全幅Ｗ１の約５０％の長さを有しているものとして形成されているが、パッド本体１１の全幅Ｗ１に対するパッド本体１１の長さの割合は５０％には限定されない。任意の数値を選定することができる。例えば、把手１３の長さはパッド本体１１の幅方向Ｗにおけるパッド本体１１の全幅Ｗ１に等しく設定することも可能である。
【００６０】
また、本実施形態に係る掴み用パッド１０においては、上方領域１４はほぼ円弧形状をなしており、下方領域１５はほぼ矩形形状をなしているが、上方領域１４及び下方領域１５の形状はそれらの形状に限定されるものではなく、任意の形状を取り得る。
【００６１】
（第二の実施形態）
図２（ａ）は本考案の第二の実施形態に係る掴み用パッド２０の平面図、図２（ｃ）は本考案の第二の実施形態に係る掴み用パッド２０の正面図、図２（ｂ）は図２（ｃ）のＢ−Ｂ線における断面図である。
【００６２】
本考案の第二の実施形態に係る掴み用パッド２０においては、把手１３の下面１３ａには、把手１３の下面１３ａから下方に突出する指用リブ２１が形成されている。
【００６３】
指用リブ２１が形成されている点を除いて、第二の実施形態に係る掴み用パッド２０は第一の実施形態に係る掴み用パッド１０と同一の構造を有している。
【００６４】
指用リブ２１は、図２（ｂ）に示すように、中指５２を把手１３の下面１３ａ及びパッド本体１１の裏面１１ｂに当てたときに、中指５２に引っ掛かって容易には抜けないような長さを有している。
【００６５】
さらに、指用リブ２１は把手１３の幅（図１（ａ）の幅方向Ｗにおける長さ）とほぼ同一の長さ（図２（ｂ）の紙面と垂直な方向における長さ）を有している。
【００６６】
本実施形態に係る掴み用パッド２０によれば、把手１３の下面１３ａに指用リブ２１が形成されており、使用者の指、特に、中指５２で指用リブ２１を係止することができるため、第一の実施形態に係る掴み用パッド１０よりも確実に掴み用パッド２０を保持することができる。
【００６７】
（第三の実施形態）
図３（ａ）は本考案の第三の実施形態に係る掴み用パッド３０の平面図、図３（ｃ）は本考案の第三の実施形態に係る掴み用パッド３０の正面図、図３（ｂ）は図３（ｃ）のＣ−Ｃ線における断面図である。
【００６８】
本考案の第三の実施形態に係る掴み用パッド３０においては、上方領域１４において、パッド本体１１の表面１１ａには磁石３１が取り付けられている。
【００６９】
磁石３１としては、例えば、ゴム磁石を用いることができる。
【００７０】
磁石３１が取り付けられている点を除いて、第三の実施形態に係る掴み用パッド３０は第一の実施形態に係る掴み用パッド１０と同一の構造を有している。
【００７１】
磁石３１はほぼ矩形形状をなしているが、磁石３１の形状は任意である。
【００７２】
磁石３１はパッド本体１１の表面１１ａに対して、例えば、接着剤や両面テープを介して、取り付けられている。
【００７３】
本実施形態に係る掴み用パッド３０によれば、対象物が鉄その他の磁性金属である場合には、磁石３１を介して、パッド本体１１を対象物に付着させることができるため、第一の実施形態に係る掴み用パッド１０と比較して、掴み用パッド３０と対象物との間の保持力を高めることができる。
【図面の簡単な説明】
【００７４】
【図１】図１（ａ）は本考案の第一の実施形態に係る掴み用パッドの平面図、図１（ｃ）は本考案の第一の実施形態に係る掴み用パッドの正面図、図１（ｂ）は図１（ｃ）のＡ−Ａ線における断面図である。
【図２】図２（ａ）は本考案の第二の実施形態に係る掴み用パッドの平面図、図２（ｃ）は本考案の第二の実施形態に係る掴み用パッドの正面図、図２（ｂ）は図２（ｃ）のＢ−Ｂ線における断面図である。
【図３】図３（ａ）は本考案の第三の実施形態に係る掴み用パッドの平面図、図３（ｃ）は本考案の第三の実施形態に係る掴み用パッドの正面図、図３（ｂ）は図３（ｃ）のＣ−Ｃ線における断面図である。
【図４】従来の掴み用パッドの縦断面図である。
【図５】従来の掴み用パッドの使用方法を示す平面図である。
【図６】従来の掴み用パッドの使用方法を示す斜視図である。
【符号の説明】
【００７５】
１０  本考案の第一の実施形態に係る掴み用パッド
１１  パッド本体
１１ａ  パッド本体の表面
１１ｂ  パッド本体の裏面
１２  リブ部材
１３  把手
１４  上方領域
１５  下方領域
５１  人指し指
５２  中指
５３  薬指
５４  小指
２０  本考案の第二の実施形態に係る掴み用パッド
２１  指用リブ
３０  本考案の第三の実施形態に係る掴み用パッド
３１  磁石
【図１】
0003125091.tif 000003
【図２】
0003125091.tif 000004
【図３】
0003125091.tif 000005
【図４】
0003125091.tif 000006
【図５】
0003125091.tif 000007
【図６】
0003125091.tif 000008